(57)【特許請求の範囲】
【請求項１】
飼育動物を出し入れする大扉と、内部の飼育動物にアクセスする小扉とを備えた動物用ケージにおいて、
前記大扉は垂直軸まわりに回動する開閉構造であり、この大扉が閉じた位置でこの大扉を水平枠に係止させる垂直棹を備え、この垂直棹はその軸まわりに回動させることにより前記水平枠に対して係止もしくは解放される構造であり、この垂直棹の前記水平枠に対する係止位置で回動を禁止する第一のばね手段を備え、この第一のばね手段は片手の操作により回動禁止状態が解放される構造であり、
前記小扉は前記大扉の壁面に沿って垂直方向に摺動する開閉構造であり、この小扉が閉じた状態でその上部水平枠に係合して摺動を禁止する第二のばね手段と、重力により変位してこの小扉が解放した状態でその下部水平枠に係合しこの小扉の摺動を禁止する係止金具とを備えた
ことを特徴とする動物用ケージ。
【請求項２】
外部に餌箱を備え、この餌箱は壁面に掛止された構造であり、その掛止位置を固定する第三のばね手段を備え、この第三のばね手段はその餌箱の内側から指を挿入して押圧することにより固定状態を解放する構造である請求項１記載の動物用ケージ。
【発明の詳細な説明】
【０００１】
【産業上の利用分野】
本発明は実験用動物を飼育するために利用する。本発明は、医学、薬学、その他科学実験研究用の猿を長期に収容するに適する。
【０００２】
【従来の技術】
実験用動物は特定の実験、研究を行うために、１頭づつ隔離されて小型のケージに収容される。この小型のケージは、金属の枠体と、この金属の枠体に挿通された多数の丸棒により作る壁面とを備え、その壁面には動物を出し入れするための大扉と、内部に収容された動物に対して実験を行うために開閉する小扉とを備えた構造のものが知られている。このような従来構造については本願出願人の先願である実開昭６３−１３４６６１号公報に開示がある。
【０００３】
【発明が解決しようとする課題】
このような小型のケージに例えば猿を出し入れする場合には、一方の手で猿を抑え、他方の手でケージを操作することが必要であり、大扉を片手で開閉操作し施錠することができることが望まれている。また、片手で施錠できる簡便な構造であっても動物が逃亡するようなことがあってはならない。さらに、収容された猿が扉を掴んでゆすることがあり、その場合に扉の固定状態に「ガタ」があると猿がその音に興味をもって大きい騒音となるとともに、あらたないたずらを招く原因となり、これはケージ本体の破損原因となり、作業員の身の危険につながる。
【０００４】
また、実験のためにあるいは餌を与えるために開閉する小扉は、開閉操作に際して一方の手には実験器具や餌などを持っているので、片手で開閉し、さらに施錠することが必要である。餌箱についても、その取付けおよび取外しを容易に行うことができるととにも、飼育動物のいたずらにより容易に取外されないようにすることが望まれている。
【０００５】
本発明はこのような背景に行われたものであって、大扉を片手で開閉操作し施錠することができる、大扉は施錠した状態でガタがない、小扉を片手で開閉操作し施錠することができる、飼育動物のいたずらによって餌箱が取外されることがない動物用ケージを提供することを目的とする。
【０００６】
【課題を解決するための手段】
本発明は、実験用動物、特に医学、薬学研究用の動物を長期に収容するケージに関するもので、飼育動物を出し入れする大扉と、内部の飼育動物にアクセスする小扉とを備えた動物用ケージにおいて、前記大扉は垂直軸まわりに回動する開閉構造であり、この大扉が閉じた位置でこの大扉を水平枠に係止させる垂直棹を備え、この垂直棹はその軸まわりに回動させることにより前記水平枠に対して係止もしくは解放される構造であり、この垂直棹の前記水平枠に対する係止位置で回動を禁止する第一のばね手段を備え、この第一のばね手段は片手の操作により回動禁止状態が解放される構造であり、前記小扉は前記大扉の壁面に沿って垂直方向に摺動する開閉構造であり、この小扉が閉じた状態でその上部水平枠に係合して摺動を禁止する第二のばね手段と、重力により変位してこの小扉が解放した状態でその下部水平枠に係合しこの小扉の摺動を禁止する係止金具とを備えたことを特徴とする。
【０００７】
外部に餌箱を備え、この餌箱は壁面に掛止された構造であり、その掛止位置を固定する第三のばね手段を備え、この第三のばね手段はその餌箱の内側から指を挿入して押圧することにより固定状態を解放する構造であることが望ましい。
【０００８】
【作用】
垂直棹（５）の操作筒（５ｅ）を大扉（３）と平行になる位置にして閉じると、垂直棹（５）の望ましくは２個所に形成された断面形状が板状の切欠き部（５ｊ）がこれに対応して設けられたケージ側の係止具（７）の開口部（７ｂ）を通過して、保持穴（７ａ）に収容される。この状態で操作筒（５ｅ）を奥に向けて回動すると、操作筒（５ｅ）内部に設けられた第一のばね手段の係止ピン（５ｈ）が円弧状の案内板（８）に沿って移動し、約４５度の位置に設けられた係止穴（８ａ）内にコイルばね（５ｄ）の付勢力により突出して係合し垂直棹（５）を固定する。この垂直棹（５）の回動に伴って切欠き部（５ｊ）が開口部（７ｂ）の位置から移動し、垂直棹（５）の外周が開口部（７ｂ）の内側に係合して大扉（３）は施錠された状態になり扉を開こうとする外力による開放が禁止される。
【０００９】
大扉（３）を開くときは、操作筒（５ｅ）を垂直棹（５）の軸心に向けコイルばね（５ｄ）をいったん圧縮して移動させ、案内板（８）の係止穴（８ａ）と係止ピン（５ｂ）との係合を解除して大扉（３）側に引き戻すと、垂直棹（５）の切欠き部（５ｊ）が係止具（７）の開口部（７ｂ）を通過して大扉（３）は開放される。これらの操作はすべで片手で行うことができるので、飼育動物の出し入れを一人で行うことが可能となり、また、大扉（３）を閉じたときに垂直棹（５）の外周と係止穴（８ａ）の内周とがほぼ密着した状態で係合されるので、飼育動物が扉を掴んでゆすっても騒音は発生しない。
【００１０】
垂直方向に摺動して開閉する小扉（４）は、閉じた状態では大扉（３）側に設けられた第二のばね手段（板ばね９）の先端が小扉（４）の上部水平枠（４ａ）上に突出して係合するので、外力を加えても開放できない状態となる。また、開けるときには第二のばね手段（９）をケージ（１）の内部に向けて押し込むことにより係合が解除されるので、この状態で引き上げれば開放される。この引き上げ動作により下部水平枠（４ｃ）が振り子状に吊り下げられた釣針形の係止金具（１０）の外周に接して外側に押圧し、下部水平枠（４ｃ）が通過したときに係止金具（１０）は重力により垂直位置に戻され、その内側に下部水平枠（４ｃ）が係合し小扉（４）を開いたままの状態にする。これらの操作も片手で行うことができるので、一方の手で飼育動物を扱うことが可能となる。係止金具（１０）は手で引き戻すことにより係合状態から解除され、小扉（４）は自重により落下して上部水平棹（４ａ）上に第二のばね手段（９）の先端部が付勢力により係合し施錠された状態になる。
【００１１】
餌箱（６）は、ケージ（１）の壁面の２本の縦格子それぞれに設けられた摺動板（１１）に餌箱（６）の両側に設けられた案内溝（１３）が係合し、さらにケージ（１）側に設けられた第三のばね手段（板ばね１２）の先端がその背面に取付けられた停止棒（１４）に当接して固定される。餌箱（６）を分離するときは、その背面に設けられた押出し穴（６ａ）から板ばね（１２）を指でケージ（１）内部に向けて押出すことにより、停止棒（１４）と板ばね（１２）の先端との係合が解放され、この状態で餌箱（６）を上部に引き上げれば容易に分離することができる。
【００１２】
【実施例】
次に、本発明実施例を図面に基づいて説明する。図１は本発明実施例の全体構成を示す斜視図、図２は本発明実施例の全体構成を示す正面図である。
【００１３】
本発明実施例には、ケージ１と、このケージ１の前面に配置され垂直軸２のまりに回動し開閉する大扉３と、この大扉３に備えられその壁面に沿って垂直方向に摺動して開閉する小扉４と、大扉３を閉じたときにケージ１に係止する垂直棹５と、ケージ１の前面に配置され飼育動物に与える餌を収容する餌箱６とが備えられる。大扉３は飼育動物を出し入れするときに開閉され、小扉４は飼育動物に対する実験的処置をとるときに開閉される。
【００１４】
図３は本発明実施例における垂直棹の形状を示す側面図、図４は本発明実施例における垂直棹に備えられたばね手段の構成を示す断面図、図５は本発明実施例における図３に示すＡ−Ａ断面図、図６は本発明実施例における図４に示すＢ矢視図である。垂直棹５には上端部が水平方向に屈曲した屈曲部５ａが形成され、この屈曲部５ａには第一のばね手段が備えられる。この第一のばね手段は、図４に示すように、屈曲部５ａの下面に固定された停止ピン５ｂおよび抜止めピン５ｃと、抜止めピン５ｃにその一方の端部が当接し屈曲部５ａに挿通されたコイルばね５ｄと、このコイルばね５ｄを内部に収容し手動操作により水平方向に摺動する操作筒５ｅとにより構成される。操作筒５ｅには、抜止めピン５ｃに接して軸方向のガイドとなりかつ回り止めとなるすり割り５ｆが設けられ、このすり割り５ｆからの抜止めピン５ｃの脱離および操作筒５ｅの屈曲部５ａからの脱離を防止する停止栓５ｇと、操作筒５ｅを固定する係止ピン５ｈと、操作筒５ｅに固定され係止ピン５ｈを支持する支持板５ｉとが備えられる。
【００１５】
さらに、垂直棹５には図３に示すように、２個所に切欠き部５ｊが形成される。この切欠き部５ｊは図５に示すようにその断面形状がほぼ２０ｍｍの長さにわたって両側面が平行となる板状に形成される。
【００１６】
図７（ａ）および（ｂ）は本発明実施例における垂直棹の切欠き部と係止具との係合を説明する図１および図２に示すＣ部の拡大斜視図である。ケージ１には、垂直棹５の切欠き部５ｊに対応する位置に、垂直棹５と係合する係止具７が固定され、この係止具７には垂直棹５を回動自在に保持する保持穴７ａと、切欠き部５ｊを通過させる開口部７ｂとが設けられる。
【００１７】
また、操作筒５ｅが回動するケージ１の上面には、図１および図２に示すように係止ピン５ｈのコイルばね５ｄによる突出を抑え、操作筒５ｅが約４５度回動したときに、係止ピン５ｈを突出させて操作筒５ｅを固定するための係止穴８ａを有する円弧状の案内板８が備えられる。
【００１８】
図８は本発明実施例における小扉の上端部の構成を示す一部拡大斜視図である。小扉４の上部水平枠４ａには、小扉４を開閉するときに把持する把持具４ｂが取付けられ、この把持具４ｂに対応する大扉３側には上部水平枠４ａにその先端部が当接して小扉４を開放できない状態にする板ばね（第二のばね手段）９と、この板ばね９の背面に位置し飼育動物により操作されることを防止する遮蔽板１５とが備えられる。さらに、大扉３には図１、図２および図９に示すように小扉４が開放されたときに自動的にその下部水平枠を係止する係止金具１０が備えられる。
【００１９】
図１０は本発明実施例における餌箱の取付け状態を示す背面斜視図である。ケージ１の前面に配置された縦格子には、二つの摺動板１１と板ばね（第三のばね手段）１２とが取付けられる。また、餌箱６の背面には、その上端部に抜止め１３ａが設けられ、二つの摺動板１１それぞれに係合する案内溝１３と、板ばね１２の下端部に当接する停止棒１４とが取付けられ、さらに、板ばね１２の中央部に対応する位置に板ばね１２を指で押出すための押出し穴６ａが設けられる。
【００２０】
次に、このように構成された本発明実施例の取扱い操作について説明する。まず、開放状態にある大扉３を閉める操作について説明する。垂直棹５に備えられた操作筒５ｅを大扉３と平行になるように図１１の２点鎖線で示す位置にしてケージ１側に回動すると、垂直棹５の切欠き部５ｊが図７（ａ）に示す状態で開口部７ｂを通過し係止具７の保持穴７ａに収容される。ここで、操作筒５ｅをケージ１の奥に向けて回動すると、係止ピン５ｈは案内板８により軸心側に押し込まれた状態で移動し、図１１の実線で示す位置（約４５度）に達したときに、係止ピン５ｈが図４に示すコイルばね５ｄの付勢力により案内板８の係止穴８ａ内に突出して固定される。この回動に伴って垂直棹５も回動し、保持穴７ａに収容された状態で切欠き部５ｊが図７（ｂ）に示す位置に移動する。この移動により開口部７ｂに垂直棹５の外周が係止された状態となって、飼育動物が内部から大扉３を開けようとして力を加えても開放できない施錠状態となる。
【００２１】
大扉３を開く場合には、操作筒５ｅを図１１に示す矢印の方向に移動させることにより、操作筒５ｅが図４の２点鎖線で示す位置にコイルばね５ｄを圧縮しながら移動して停止栓５ｇが停止ピン５ｂに当接する。この移動に伴って係止ピン５ｈも引き込まれ、係止ピン５ｈは案内板８の係止穴８ａから離脱する。この状態で操作筒５ｅを図１１の２点鎖線で示す位置に引き戻すと、垂直棹５の切欠き部５ｊが図７（ａ）に示す位置に移動して開口部７ｂから抜け出し大扉３は開放状態となる。
【００２２】
このように大扉３の開閉はすべて片手の操作で行うことができるので、他方の手で飼育動物を出し入れすることが可能となり、飼育動物の処置をひとりで行うことができる。
【００２３】
次に、小扉４の開閉動作について説明する。小扉４を開ける場合は、図１２に示す矢印方向に板ばね９を押すことにより、板ばね９は変形して２点鎖線で示す位置に移動し先端部が小扉４の上部水平枠４ａから外れる。この状態で把持具４ｂを持って小扉４を引き上げれば、上部水平枠４ａが板ばね９の表面を摺動して移動し、一点鎖線で示すように板ばね９との係止状態が解除され小扉４は摺動できる状態となる。
【００２４】
小扉４が引き上げられ上昇端近くに達すると、図９の２点鎖線で示すように下部水平枠４ｃの角部が係止金具１０に接触する。係止金具１０は振り子状になるように大きな遊びをもって掛止され、かつその形状が釣針状に形成されているので、下部水平枠４ｃの角部が接触したときに外側に押し出され、通過したときに重力によってもとの位置に戻され、その先端部が図９の実線で示すように下部水平枠４ｃの下側に移動する。これにより把持具４ｂから手を離しても、下部水平枠４ｃが係止金具１０によって掛止され小扉４は開放したままの状態となる。
【００２５】
小扉４を閉じるときは、係止金具１０を手前に引いて下部水平枠４ｃとの係合状態を解除することにより、小扉４は自重で自動的に落下し閉ざされる。この小扉４が落下するときに上部水平枠４ａが板ばね９を図１２の２点鎖線で示す位置に押し出し、停止したときに弾性により実線で示す位置に戻されて、上部水平枠４ａが板ばね９によって係止される。板ばね９の裏側には遮蔽板１５が取付けられているので、小扉が閉じているときに板ばね９が飼育動物によって操作されることは防止される。この小扉４の開閉も片手で操作することができるので、他方の手で飼育動物を扱うことが可能となる。
【００２６】
次に、餌箱６の着脱操作について説明する。餌箱６を装着するときは、図１０に示すケージ１の２本の縦格子に取付けられた二つの摺動板１１それぞれに餌箱６の背面両側に取付けられた案内溝１３を係合させて下方に押し下げることにより、餌箱６の背面に取付けられた停止棒１４がケージ１の縦格子に取付けられた板ばね１２を図１３の２点鎖線で示す位置に押し出す。餌箱６がさらに押しさげられて摺動板１１の上端部が案内溝１３の上端部に設けられた抜止め１３ａに当接したときに、停止棒１４の位置は板ばね１２の下端部よりも下方に移動し、停止棒１４による板ばね１２の押出しが解除される。これにより板ばね１２の下端部が図１３の実線で示す位置に戻されて停止棒１４に当接し餌箱６は固定される。
【００２７】
この状態で飼育動物が餌箱６を取外そうとしても、ケージ１側に取付けられた板ばね１２に餌箱６側に取付けられた停止棒１４が係合しているので分離することはできない。
【００２８】
餌箱６を離脱するときは、その背面に設けられた押出し穴６ａから板ばね１２をケージ１の内部に向けて押出すことにより、板ばね１２は図１３の２点鎖線で示す位置に移動して停止棒１４から外れる。この状態で餌箱６を上方に向けて引き上げれば、摺動板１１から案内溝１３が外れ、餌箱６はケージ１から分離される。
【００２９】
【発明の効果】
以上説明したように本発明によれば、大扉を一方の手で開閉操作し施錠することができるので他方の手で飼育動物の出し入れが可能となる。また、小扉も一方の手で開閉操作し施錠することができるので他方の手で実験器具あるいは餌を持つことが可能となり、飼育動物の出し入れ、あるいは飼育動物に対する処置をひとりで行うことができる効果がある。
【００３０】
さらに、大扉および小扉は閉じた状態でガタを生じない構造になっているために、飼育動物が扉を掴んでゆすっても騒音が発生することはなく、音に興味をもってゆすりを継続するうよな動作を防止することができる。そのため、ケージ本体の破損がなく作業員の身が安全にたもたれる。
【図面の簡単な説明】
【図１】本発明実施例の全体構成を示す斜視図。
【図２】本発明実施例の全体構成を示す正面図。
【図３】本発明実施例における垂直棹の形状を示す側面図。
【図４】本発明実施例における垂直棹に備えられたばね手段の構成を示す断面図。
【図５】本発明実施例における図３に示すＡ−Ａ断面図。
【図６】本発明実施例における図４に示すＢ矢視図。
【図７】本発明実施例における垂直棹の切欠き部と係止具との係合を説明する図１および図２に示すＣ部の拡大斜視図。
【図８】本発明実施例における小扉の上端部の構成を示す一部拡大斜視図。
【図９】本発明実施例における係止金具の構成を示す部分拡大側面図。
【図１０】本発明実施例における餌箱の取付け状態を示す背面斜視図。
【図１１】本発明実施例における操作筒の回動と係止ピンによる係合を説明する図。
【図１２】本発明実施例における小扉開閉時の板ばねとの係合状態を説明する側面図。
【図１３】本発明実施例における餌箱の着脱を説明する側面図。
【符号の説明】
１    ケージ
２    垂直軸
３    大扉
４    小扉
４ａ  上部水平枠
４ｂ  把持具
４ｃ  下部水平枠
５    垂直棹
５ａ  屈曲部
５ｂ  停止ピン
５ｃ  抜止めピン
５ｄ  コイルばね
５ｅ  操作筒
５ｆ  すり割り
５ｇ  停止栓
５ｈ  係止ピン
５ｉ  支持板
５ｊ  切欠き部
６    餌箱
６ａ  押出し穴
７    係止具
７ａ  保持穴
７ｂ  開口部
８    案内板
８ａ  係止穴
９、１２  板ばね
１０  係止金具
１１  摺動板
１３  案内溝
１３ａ  抜止め
１４  停止棒
１５  遮蔽板
【図１】
0003556713.tif 000002
【図２】
0003556713.tif 000003
【図３】
0003556713.tif 000004
【図４】
0003556713.tif 000005
【図５】
0003556713.tif 000006
【図６】
0003556713.tif 000007
【図７】
0003556713.tif 000008
【図８】
0003556713.tif 000009
【図９】
0003556713.tif 000010
【図１０】
0003556713.tif 000011
【図１１】
0003556713.tif 000012
【図１２】
0003556713.tif 000013
【図１３】
0003556713.tif 000014